(57)【特許請求の範囲】
【請求項１】
携帯電子機器の表示パネルの保持構造において、
上記表示パネルは、表示パネルホルダーを介して電子基板の表示パネル保持用孔に保持され、
上記表示パネルホルダーは、略矩形容器状に形成され、第１乃至第４側壁と、底壁とを備え、
上記底壁には、表示パネルを露出させるための表示パネル用開口が形成され、
上記第１側壁は、外方へ撓むことができるように構成され、上記底壁から離れるに連れて内方へ向かう第１テーパ面を有して上記表示パネルの一端に当接して該表示パネルを保持する第１表示パネル係合用突起を少なくとも１つ備え、
上記第１側壁に対向する第２側壁は、上記底壁から離れるに連れて内方へ向かう第２テーパ面を有して上記表示パネルの他端に当接して該表示パネルを保持する第２表示パネル係合用突起を少なくとも１つ備え、
上記第１側壁と第２側壁とをつなぐ第３側壁は、上記電子基板の表示パネル保持用孔の周縁を表裏から挟み込む第１狭持部を有し、
上記第３側壁に対向する第４側壁は、上記電子基板の表示パネル保持用孔の周縁を表裏から挟み込む第２狭持部を有し、
上記第３側壁には、基端側が該第３側壁に連結され、先端側が内方へ撓むことができるように内側へ折り曲げられたレバー部材を備えている
ことを特徴とする携帯電子機器の表示パネルの保持構造。
【請求項２】
請求項１に記載の携帯電子機器の表示パネルの保持構造において、
上記表示パネルホルダーは、樹脂成形品よりなる
ことを特徴とする携帯電子機器の表示パネルの保持構造。
【請求項３】
請求項２に記載の携帯電子機器の表示パネルの保持構造において、
上記表示パネルには、フレキシブル基板の一端が連結され、該フレキシブル基板がＵ字状に折り曲げられた状態でその他端が上記電子基板に接続されている
ことを特徴とする携帯電子機器の表示パネルの保持構造。
【請求項４】
請求項３に記載の携帯電子機器の表示パネルの保持構造において、
上記レバー部材の先端には、上記表示パネル保持用孔の周縁に裏面側から係合する引っ掛け部が形成されている
ことを特徴とする携帯電子機器の表示パネルの保持構造。
【発明の詳細な説明】
【技術分野】
【０００１】
携帯電子機器、特に携帯通信機器の表示パネルの保持構造に関する。
【背景技術】
【０００２】
携帯電子機器、特に折畳み式の携帯電話機は、折畳んだときに内側となる面に各種情報を表示するメイン表示部を備え、折畳んだときに外側となる面に時間表示を行ったり、電話やメールがあったときに、その旨を表示したりするサブ表示部を備えている。
【０００３】
携帯電話機のユーザは、その質量、サイズの小さいものを望んでおり、表示部の構造も薄型に設計する必要がある。
【０００４】
例えば、特許文献１には、電子機器などの動作状態を表示する表示素子を保持する保持部材と、該保持部材が上記表示素子と接触する部分である底面に、上記表示素子を押圧する弾性を有する押圧部材と、上記保持部材の壁上端に設けられ、上記表示素子の上部に当接する突出部材と、上記保持部材の底面に２本の溝を設けたことにより構成される断面形状がＬ字の弾性部材と、該弾性部材の端部に設けられ、上記保持部材を支持する支持部材と、上記弾性部材の先端部に上記表示素子を押圧するように形成された突起部とを備えることにより、表示素子の傾きをなくし、表示素子の脱落等のない表示素子の保持装置が記載されている。
【０００５】
また、特許文献２には、矩形で有底のホルダーにＬＣＤパネルを収納するＬＣＤ固定構造であって、このホルダーは四周する壁面の高さがこのＬＣＤパネルの高さと略均一になるよう構成されるとともに、これらの壁面の少なくとも１つには壁面の高さと同程度または低い高さのパネル押圧部を備え、パネル押圧部がＬＣＤパネルの側面と当接して、パネル押圧部に対向するホルダー側内壁面方向にＬＣＤパネルを押圧することにより、ホルダー側内壁面とＬＣＤパネルの側面とが面合わせされて位置決めをなすよう構成され、装置の肉厚を増やすことのないＬＣＤ固定構造が記載されている。
【特許文献１】特開平０７−１０４６７８号公報
【特許文献２】特開２００２−７２９０８号公報
【発明の開示】
【発明が解決しようとする課題】
【０００６】
上記特許文献１は、表示素子の側面を突起部によって押圧するようにしているが、保持装置を含んだ電子基板の厚みが厚くなるという問題がある。
【０００７】
また、特許文献２は、ＬＣＤパネルの側面にパネル押圧部が当接して位置決め及び固定を行いホルダーを含んだ電子基板の厚みが増さないようにしているものの、ホルダーの電子基板側に取付用脚部が形成されている。したがって、電子基板の表面にホルダーを載せる構成であるため、さらに、ホルダーを含んだ電子基板の厚さを小さくできる可能性が存在する。
【０００８】
そこで、本発明は、表示パネルを保持する表示パネルホルダーを電子基板に取り付ける構造に工夫を加えることで、電子基板を含んだ表示パネル周辺の厚みを押さえ、携帯電子機器の厚さを抑えることを目的とする。
【課題を解決するための手段】
【０００９】
上記の目的を達成するために、本発明の第１の発明では、携帯電子機器の表示パネルの保持構造を前提とし、
上記表示パネルは、表示パネルホルダーを介して電子基板の表示パネル保持用孔に保持され、
上記表示パネルホルダーは、略矩形容器状に形成され、第１乃至第４側壁と、底壁とを備え、
上記底壁には、表示パネルを露出させるための表示パネル用開口が形成され、
上記第１側壁は、外方へ撓むことができるように構成され、上記底壁から離れるに連れて内方へ向かう第１テーパ面を有して上記表示パネルの一端に当接して該表示パネルを保持する第１表示パネル係合用突起を少なくとも１つ備え、
上記第１側壁に対向する第２側壁は、上記底壁から離れるに連れて内方へ向かう第２テーパ面を有して上記表示パネルの他端に当接して該表示パネルを保持する第２表示パネル係合用突起を少なくとも１つ備え、
上記第１側壁と第２側壁とをつなぐ第３側壁は、上記電子基板の表示パネル保持用孔の周縁を表裏から挟み込む第１狭持部を有し、
上記第３側壁に対向する第４側壁は、上記電子基板の表示パネル保持用孔の周縁を表裏から挟み込む第２狭持部を有し、
上記第３側壁には、基端側が該第３側壁に連結され、先端側が内方へ撓むことができるように内側へ折り曲げられたレバー部材を備えている。
【００１０】
上記の構成によると、表示パネルを表示パネルホルダーに取り付ける際には、一端を第１表示パネル係合用突起に当接させ、第１側壁を外方に撓ませながら挿入し、他端を第２側壁の第２表示パネル係合用突起に当接させるようにして取り付ける。このとき、第１及び第２表示パネル係合用突起は、底壁から離れるに連れて内方へ向かうテーパ面を有しているので、第１側壁の弾性力により、表示パネルがホルダーから外れにくい。表示パネルホルダーは、レバー部材を内側へ撓ませながら、電子基板の表示パネル保持用孔に嵌め込まれて、第１及び第２狭持部に狭持されるようにして取り付けられるので、嵌め込みやすく、レバー部材の弾性力により、外れにくい。表示パネルホルダーと電子基板とが厚さ方向で重複するように表示パネルホルダーが電子基板に取り付けられるので、携帯電子機器の厚さが抑えられる。
【００１１】
第２の発明では、上記表示パネルホルダーは、樹脂成形品よりなる構成とする。
【００１２】
上記の構成によると、可撓性を有する軽い樹脂成形品で構成することで、撓みにくく重い金属に比べて表示パネルホルダーを電子基板に嵌め込みやすく、表示パネルホルダーに表示パネルを取り付けやすい。また、複雑な形状でも成形が容易であると共に、軽量な表示パネルホルダーが得られる。
【００１３】
第３の発明では、上記表示パネルには、フレキシブル基板の一端が連結され、該フレキシブル基板がＵ字状に折り曲げられた状態でその他端が上記電子基板に接続されている。
【００１４】
上記の構成によると、表示パネルは、可撓性を有するフレキシブル基板に接続された状態で、表示パネルホルダーに取り付けられるが、フレキシブル基板は、Ｕ字状に折り曲げられているので、その弾性力により、表示パネルを表示パネルホルダーから取り外そうとする方向へ付勢する。しかし、表示パネルは、表示パネルホルダーの第１表示パネル係合用突起と第２表示パネル係合用突起とで狭持され、レバー部材で付勢されているので、傾斜面の作用により表示パネルホルダーから外れることはない。
【００１５】
第４の発明では、上記レバー部材の先端には、上記表示パネル保持用孔の周縁に裏面側から係合する引っ掛け部が形成されている。
【００１６】
上記の構成によると、レバー部材先端の引っ掛け部が表示パネル保持用孔の周縁に裏面側に係合するので、さらに表示パネルホルダーが外れにくくなる。
【発明の効果】
【００１７】
以上説明したように、本発明によれば、表示パネルを保持する表示パネルホルダーを、表示パネルホルダーが電子基板を狭持するようにして電子基板の表示パネル保持用孔に嵌め込み、表示パネルホルダーと電子基板とが厚さ方向で重複するように電子基板に取り付けている。このため、電子基板を含んだ表示パネル周辺の厚みを押さえ、携帯電子機器の厚さを抑えることができるので、携帯しやすく、見映えのよい商品性の高い携帯電子機器が得られる。
【発明を実施するための最良の形態】
【００１８】
以下本発明の実施形態を図面に基づき説明する。
【００１９】
図１は、本発明の実施形態に係る携帯電子機器（携帯通信機器）としての携帯電話機１の開いた状態を右方向から見た斜視図である。図２は、図１の閉じた状態を右方向から見た斜視図である。
【００２０】
図１及び図２に示すように、本実施形態の携帯電話機１は、第１の筐体２と、第２の筐体３とを有し、これらがヒンジ部４によって折畳み自在に結合されている。また、第１の筐体２を縦長状態から横長状態に回転するための回転機構５が設けられている。
【００２１】
上記第１の筐体２の表面側には液晶表示部６及び受話部７等が設けられ、裏面側にはサブ表示部１１が設けられている。
【００２２】
上記第２の筐体３の表面側には送話部８、入力ボタン９、機能ボタン１０等が設けられている。
【００２３】
そして、電話やメールするときには図１のように開いた状態で行い、電話やメールが終われば図２のように閉じた状態で待機し、着信があればサブ表示部１１に着信があったことを知らせる表示が出るようになっている。
【００２４】
また、ＴＶを見たり、メールを横長状態で行いたいときは、図示しないが、第１の筐体２を回転機構５によって横長状態に回転して行うようになっている。
【００２５】
図３は、サブ表示部１１の内部に構成される表示パネル１２と、表示パネルホルダー１４と、電子基板３０との分解斜視図である。図４は、サブ表示部の内部に構成される表示パネルと表示パネルホルダーと電子基板とを組み付けた状態を示す斜視図である。
【００２６】
上記電子基板３０には、略矩形状の表示パネル保持用孔３１が貫通形成されている。上記表示パネル１２は、表示パネルホルダー１４を介して上記表示パネル保持用孔３１に保持されるようになっている。
【００２７】
図５に拡大して示すように、上記表示パネルホルダー１４は、薄い略矩形容器状に形成された樹脂成形品よりなり、第１乃至第４側壁１５，１６，１７，１８と、底壁１９とを備えている。底壁１９には、表示パネル１２を露出させるための表示パネル用開口２０が形成されている。上記第１側壁１５は、表示パネル用開口２０がその近傍まで広がることで、外方へ撓むことができるように構成されている。図８に断面を示すように、第１側壁１５は、上記底壁１９から離れるに連れて内方へ向かう第１テーパ面２１ａを有して上記表示パネル１２の一端１２ａに当接して該表示パネル１２を保持する第１表示パネル係合用突起２１を２つ備えている。
【００２８】
上記第１側壁１５に対向する第２側壁１６は、上記底壁１９から離れるに連れて内方へ向かう第２テーパ面２２ａを有して上記表示パネル１２の他端１２ｂに当接して該表示パネル１２を保持する第２表示パネル係合用突起２２を１つ備えている。但し、これら第１及び第２表示パネル係合用突起２１，２２の位置及び個数は、これに限定されない。
【００２９】
図６に示すように、上記第１側壁１５と第２側壁１６とをつなぐ第３側壁１７は、上記電子基板３０の表示パネル保持用孔３１の周縁を表裏から挟み込む第１狭持部２３を有している。すなわち、第１狭持部２３は、表示パネル保持用孔３１の周縁に表面側から当接する第１表面側当接面２３ａと、裏面側から当接する第１裏面側当接面２３ｂとを備えている。第１狭持部２３の形状は、この形状にはとらわれず、表示パネル保持用孔３１の周縁の形状に対応させる形状とすればよい。
【００３０】
図７に示すように、上記第３側壁１７に対向する第４側壁１８は、上記電子基板３０の表示パネル保持用孔３１の周縁を表裏から挟み込む第２狭持部２４を有している。すなわち、第２狭持部２４は、表示パネル保持用孔３１の周縁に表面側から当接する第２表面側当接面２４ａと、裏面側から当接する２つの第２裏面側当接面２４ｂとを備えている。第２狭持部２４の形状は、この形状にはとらわれず、表示パネル保持用孔３１の周縁の形状に対応させる形状とすればよい。第１及び第２狭持部２３，２４の当接面２３ａ，２３ｂ，２４ａ，２４ｂにそれぞれ斜面を設けて表示パネルホルダー１４を外れにくくしてもよい。
【００３１】
図３及び図６に示すように、上記第３側壁１７には、基端側が該第３側壁１７に連結され、先端側が内方へ撓むことができるように内側へ折り曲げられたレバー部材２５を備えている。このレバー部材２５の先端には、上記表示パネル保持用孔３１の周縁に裏面側から係合する引っ掛け部２６が形成されている。
【００３２】
上記表示パネル１２には、可撓性フレキシブル基板１３の一端が連結され、該フレキシブル基板１３の他端側がＵ字状に折り曲げられた状態で、その先端が上記電子基板３０のコネクタ３２に接続され、信号が送られるようになっている。
【００３３】
−表示パネルの組付手順−
次に、本実施形態に係る表示パネル１２の組付手順について説明する。
【００３４】
まず、一端が表示パネル１２に結合されたフレキシブル基板１３の他端を電子基板３０のコネクタ３２に差込んでおく。
【００３５】
次いで、表示パネルホルダー１４を電子基板３０の表示パネル保持用孔３１に挿入する。レバー部材２５を表示パネル保持用孔３１の周縁側面に当てて内方へ押さえながら第１狭持部２３で表示パネル保持用孔３１の周縁を挟み込み、対向する側面の第２狭持部２４で表示パネル保持用孔３１の反対側周縁を挟み込む。このことで、レバー部材２５が、その引っ掛け部２６を表示パネル保持用孔３１の周縁の裏面側に当接させた状態で該周縁を外方へ押そうとする付勢力を持って押圧しながら、表示パネルホルダー１４が表示パネル保持用孔３１に取り付けられる。このため、レバー部材２５の弾性力により、表示パネルホルダー１４は抜け落ちにくくなっている。
【００３６】
最後に、弾性を有する第１側壁１５を外方へ広げながら表示パネル１２を表示パネルホルダー１４に挿入する。表示パネル１２は、挿入後、取り出し方向とは逆テーパとなっている第１及び第２表示パネル係合用突起２１，２２の第１及び第２テーパ面２１ａ，２２ａに押圧された状態で保持される。このため、第１側壁１５の弾性力により、表示パネル１２は抜け落ちにくくなっている。なお、この表示パネル１２は、表示パネルホルダー１４を表示パネル保持用孔３１に取り付ける前に取り付けても、取り付けた後に取り付けてもよい。
【００３７】
−実施形態の効果−
したがって、本実施形態の携帯電子機器１の表示パネル１２の保持構造によると、表示パネル１２を保持する表示パネルホルダー１４を、この表示パネルホルダー１４が電子基板３０を狭持するようにして電子基板３０の表示パネル保持用孔３１に嵌め込み、表示パネルホルダー１４と電子基板３０とが厚さ方向で重複するように電子基板３０に取り付けている。このため、電子基板３０を含んだ表示パネル１２周辺の厚みを押さえ、携帯電子機器１の厚さを抑えることができるので、携帯しやすく、見映えのよい商品性の高い携帯電子機器１が得られる。
【００３８】
（その他の実施形態）
本発明は、上記実施形態について、以下のような構成としてもよい。
【００３９】
すなわち、上記実施形態では、回転機構５を設けて第１の筐体２を縦長状態から横長状態に回転可能としているが、回転機構５を設けなくてもよい。また、ヒンジ部４を設けて第１の筐体２と第２の筐体３とを折畳み自在に結合しているが、ストレートタイプの携帯電話機であってもよい。
【００４０】
上記実施形態では、液晶表示部６の例を示したが、表示パネル１２は、有機ＥＬ表示パネルよりなるものとしてもよい。
【００４１】
上記実施形態では、携帯電子機器は、携帯通信機器のうち、特に携帯電話機としたが、ＰＣ、モバイルツール、電子辞書、電卓、複写機等の携帯電子機器でもよい。
【００４２】
なお、以上の実施形態は、本質的に好ましい例示であって、本発明、その適用物や用途の範囲を制限することを意図するものではない。
【産業上の利用可能性】
【００４３】
以上説明したように、本発明は、携帯電子機器、特に携帯電話機などの携帯通信機器の表示パネルの保持構造について有用である。
【図面の簡単な説明】
【００４４】
【図１】本発明の実施形態に係る電子機器としての携帯電話機の開いた状態を右方向から見た斜視図である。
【図２】図１の閉じた状態を右方向から見た斜視図である。
【図３】サブ表示部の内部に構成される表示パネルと表示パネルホルダーと電子基板との分解斜視図である。
【図４】サブ表示部の内部に構成される表示パネルと表示パネルホルダーと電子基板とを組み付けた状態を示す斜視図である。
【図５】表示パネルホルダーの詳細を示す斜視図である。
【図６】図５のVI方向から見た側面図である。
【図７】図５のVII方向から見た側面図である。
【図８】図５のVIII−VIII線断面図である。
【符号の説明】
【００４５】
１      携帯電話機（携帯通信機器、携帯電子機器）
１２      表示パネル
１２ａ    一端
１２ｂ    他端
１３      フレキシブル基板
１４      表示パネルホルダー
１５      第１側壁
１６      第２側壁
１７      第３側壁
１８      第４側壁
１９      底壁
２０      表示パネル用開口
２１      第１表示パネル係合用突起
２１ａ    第１テーパ面
２２      第２表示パネル係合用突起
２２ａ    第２テーパ面
２３      第１狭持部
２４      第２狭持部
２５      レバー部材
２６      引っ掛け部
３０      電子基板
３１      表示パネル保持用孔
【図１】
0004783639.tif 000002
【図２】
0004783639.tif 000003
【図３】
0004783639.tif 000004
【図４】
0004783639.tif 000005
【図５】
0004783639.tif 000006
【図６】
0004783639.tif 000007
【図７】
0004783639.tif 000008
【図８】
0004783639.tif 000009